(57)【特許請求の範囲】
【請求項１】
少なくとも１つの側壁を有する蚊取り器収容部であって、前記収容部内の内部空間を有する蚊取り器収容部と、
前記収容部の内部空間内に配置された、蚊を引きつける水およびバイオマスの組み合わせと、
前記収容部の側壁に形成され、蚊が前記収容部に入ることを許容する少なくとも１つの入口点と、
前記収容部の入口点に連結された第１の開口部と、前記収容部の内部空間内に配置された第２の開口部とを有する導管とを備える蚊取り器であって、
前記収容部の内部空間は、前記収容部が倒れた場合に水およびバイオマスの前記組み合わせをこぼすことなく保持可能であり、
前記少なくとも１つの側壁の少なくとも第１の部分が、半透明であり、前記導管が、実質的に不透明であり、
前記導管が、前記導管の前記第１の開口部に入る外部光が前記導管を通り抜けて前記導管の前記第２の開口部から出ることを実質的に妨げる形状で形作られる、蚊取り器。
【請求項２】
前記導管は、雨水が前記収容部の内部空間に入ることを実質的に防止する、請求項１に記載の蚊取り器。
【請求項３】
前記少なくとも１つの側壁が、不透明である第２の部分を含む、請求項１に記載の蚊取り器。
【請求項４】
水およびバイオマスの前記組み合わせが、殺虫剤をさらに含む、請求項１に記載の蚊取り器。
【請求項５】
前記殺虫剤が、昆虫成長調節剤、微生物殺幼虫剤、有機リン殺虫剤、合成ピレスロイド、ネオニコチノイド、フィプロニル、表面油または膜、およびそれらの混合物からなる群から選択される、請求項４に記載の蚊取り器。
【請求項６】
水およびバイオマスの前記組み合わせが、前記収容部の内部空間の全体積の１０から５０パーセントである体積を有する、請求項１に記載の蚊取り器。
【請求項７】
前記収容部の内部空間内に配置される水およびバイオマスの前記組み合わせが、０．５から５０リットル（０．０００５から０．０５ｍ３）である体積を有する、請求項１に記載の蚊取り器。
【発明の詳細な説明】
【技術分野】
【０００１】
[0001]本開示は、一般に、虫駆除のための装置に関し、詳細には蚊を捕え、殺虫するための装置に関する。
【背景技術】
【０００２】
[0002]蚊は、害虫であることに加えて、人および家畜の両方に対して、マラリア、デング熱、ウエストナイルウイルス、黄熱病、および脳炎を含む数多くの死に至る病気を運び感染させることが可能である。世界的規模において、これらの病気は、毎年何百万もの死に関与している。したがって、蚊を駆除し、それによって蚊が媒介する病気の大発生を抑制する効果的な方法が非常に求められている。
【発明の概要】
【発明が解決しようとする課題】
【０００３】
[0003]蚊を殺虫することができるさまざまな化学殺虫剤（たとえばＤＤＴ）が知られているが、そのような殺虫剤の摂取もまた、人、特に子供および家畜にとって有害である。したがって、人および家畜が有害な殺虫剤に曝されることを抑制すると同時に蚊の数を抑制する効果的な方法も求められている。
【課題を解決するための手段】
【０００４】
[0004]第１の態様では、本開示は、蚊取り器を提供する。１つの実施形態では、蚊取り器は、少なくとも１つの側壁と、収容部の内部空間とを有する蚊取り器収容部を含む。蚊を引きつける水およびバイオマスの組み合わせが、収容部の内部空間内に配置される。蚊取り器はまた、収容部の側壁内に形成され、蚊が収容部内に入ることを可能にする少なくとも１つの入口点も含む。加えて、蚊取り器は、収容部の入口点に連結された第１の開口部と、収容部の内部空間内に配置された第２の開口部とを有する導管を含む。収容部の内部空間は、収容部が倒れた場合、水およびバイオマスの組み合わせをこぼすことなく保持することができる。
【０００５】
[0005]蚊取り器の特定の実施形態では、雨水が収容部の内部空間内に入ることが導管によって実質的に防止される。
【０００６】
[0006]蚊取り器の特定の実施形態では、少なくとも１つの側壁の少なくとも第１の部分が半透明であることが好ましい。また、導管は、実質的に不透明であることも好ましい。より好ましくは、少なくとも１つの側壁はまた、不透明である第２の部分を含む。
【０００７】
[0007]蚊取り器の特定の実施形態では、導管は、好ましくは、導管の第１の開口部に入る外部光が導管を通り抜けて導管の第２の開口部から出ることを実質的に妨げる形状で形作られる。
【０００８】
[0008]蚊取り器の特定の実施形態では、水およびバイオマスの組み合わせは、好ましくは、殺虫剤をさらに含む。適切な殺虫剤は、昆虫成長調節剤、微生物殺幼虫剤、有機リン殺虫剤、合成ピレスロイド、ネオニコチノイド、フィプロニル、表面油または膜、およびそれらの混合物からなる群から選択され得る。
【０００９】
[0009]蚊取り器の特定の実施形態では、水およびバイオマスの組み合わせは、好ましくは、収容部の内部空間の全体積の約１０から約５０パーセントである体積を有する。より好ましくは、水およびバイオマスの組み合わせは、収容部の内部空間の全体積の約２０から約４０パーセントである体積を有する。
【００１０】
[0010]蚊取り器の特定の実施形態では、収容部の内部空間内に配置される水およびバイオマスの組み合わせは、好ましくは、約０．５から約５０リットルである体積を有する。より好ましくは、収容部の内部空間は、約０．２５から約２５リットルである体積を有する。
【００１１】
[0011]
[0012]本発明のさらなる利点は、図と共に考慮される詳細な説明を参照することによって明らかになり、これらの図は、詳細をより明確に示すために原寸通りではなく、複数の図を通じて、同じ参照番号は同じ要素を示す。
【図面の簡単な説明】
【００１２】
【図１】[0013]本開示の１つの実施形態による蚊取り器の側立面図である。
【図２】[0014]本開示の代替の実施形態による蚊取り器の側立面図である。
【発明を実施するための形態】
【００１３】
[0015]第１の態様では、本開示は、蚊取り器１０を提供する。１つの実施形態では、蚊取り器１０は、好ましくは、図１に示されるように、底部１４、少なくとも１つの側壁１６、上部１８、および内部空間２０を有する蚊取り器収容部（mosquito trap enclosure）１２を含む。蚊を引きつける水およびバイオマスの組み合わせ２２が、収容部の内部空間２０内に配置される。蚊取り器１０はまた、収容部１２内に形成され蚊が収容部１２に入ることを可能にするための少なくとも１つの入口点２４も含む。加えて、蚊取り器１０は、実質的に不透明である材料から形成された導管２６を含み、この導管は、収容部入口点２４に連結された第１の開口部２８と、収容部の内部空間２０内に配置された第２の開口部３０とを有する。少なくとも１つの側壁１６の少なくとも第１の部分３２は、半透明である。
【００１４】
[0016]特定の実施形態では、蚊取り器収容部１２は、単一の円形側壁１６のみを有する全体的に円筒の形状でよい。さらに他の実施形態では、蚊取り器収容部１２は、球体としてまたは３つもしくは４つまたはそれより多い側壁を有する角柱として形成されてもよい。収容部１２は、通常、約０．５から約５０リットル、より好ましくは約２から約４リットルの体積を有する。蚊取り器収容部１２を構築するのに使用される適切な材料は、金属、（ポリエチレン、ポリプロピレン、ポリカーボネート、ポリ塩化ビニル、ポリスチレン、および／またはポリ乳酸などの生分解性プラスチックなどの）プラスチック、ガラス、およびそれらの組み合わせを含む。
【００１５】
[0017]特定の実施形態では、側壁１６の少なくとも一部分は半透明である。例として、側壁は、２つ以上の半透明部分３２を含むことができる。これらの半透明部分３２は、好ましくは、側壁１６の上部近くに配置される。側壁１６の残りの部分３４は、好ましくは実質的に不透明である。本明細書では、用語「半透明」は、通常、光を材料に通過させることができる材料を示す。「半透明」は、時に「透明」と称される材料を含む。用語「不透明」は、本明細書では、通常、光を通過させることができない材料を示すために使用される。
【００１６】
[0018]以下でより詳細に説明されるように、側壁１６の半透明部分３２は、疑似出口として作用すると考えられる。収容部１２内に飛び込んだ蚊は、半透明部分３２を通過する外部光を認識し、この半透明部分３２を、蚊取り器１０から逃げる手段を提供する開口部であると考えてこれらの部分に向かって飛ぶ。半透明部分３２は、そうではなく、蚊を収容部１２内に捕え、逃げる手段を提供しない。
【００１７】
[0019]収容部１２はまた、通常上部１８または側壁１６の１つに形成される少なくとも１つの入口点２４を含み、この入口点は、蚊が蚊取り器１０に入る手段を提供する。この入口点２４は、通常、約５ｍｍから約５０ｍｍのサイズである。しかし、以下で説明されるように、この入口点２４は、蚊が蚊取り器１０に入った後、蚊から概ね隠される。したがって、蚊は、この入口点２４を逃げる手段として使用することはできない。
【００１８】
[0020]入口点２４は、蚊取り器収容部内に配置された導管２６に連結される。導管２６は、第１の開口部２８および第２の開口部３０を有する中空の管状構造である。一部の実施形態では、導管２６の壁は、図１に見られるように、導管２６の長さの一部分に沿って直径が拡大し、次いで導管の長さの別の部分に沿って先細になることができる。導管２６の第１の開口部２８は、収容部の入口点２４に連結される。第２の開口部３０は、収容部の内部空間２０内に配置されて位置し、好ましくは収容部の底部１４を必要とする。したがって蚊は、収容部の入口点２４を通り抜けて蚊取り器１０に入り、導管２６を下って蚊取り器１０の内部に到達する。特定の実施形態では、導管２６は、好ましくは、不透明および／または不透明の材料でコーティングされた材料から作製される。
【００１９】
[0021]蚊取り器の第２の実施形態が図２に示される。前述と同様に、蚊取り器１１０は、底部１１４、少なくとも１つの側壁１１６、上部１１８、および内部空間１２０を有する蚊取り器収容部１１２を含む。蚊を引きつける水およびバイオマスの組み合わせ１２２が、収容部の内部空間１２０内に配置される。蚊取り器１１０はまた、収容部１１２内に形成され蚊が収容部１１２に入ることを可能にするための少なくとも１つの入口点１２４も含む。加えて、蚊取り器１１０は、実質的に不透明である材料から形成された導管１２６を含み、この導管は、収容部入口点１２４に連結された第１の開口部１２８と、収容部の内部空間１２０内に配置された第２の開口部１３０とを有する。少なくとも１つの側壁１１６の少なくとも第１の部分１３２は、半透明である。側壁の残りの部分１３４は、好ましくは不透明である。
【００２０】
[0022]加えて、この実施形態では、導管１２６は、好ましくは、外部光が、導管の第１の開口部１２８に入った後、導管１２６を通って導管１２６の第２の開口部１３０から出ることを実質的に防止する形状で形作られる。たとえば、導管１２６の長さは、図２に示されるように、光が、導管１２６の第１の開口部１２８から第２の開口部１３０まで直進することを妨げる角度で曲げられまたは湾曲されてよい。特定の実施形態では、第１および第２の開口部１２８、１３０はまた、互いに対してずれて（offset）いてもよい。これもまた、光が導管１２６の第１の開口部１２８から第２の開口部１３０まで直進することを妨げる。したがって、導管１２６は、収容部入口点２４を収容部内部空間１２０内の蚊から効果的に隠し、こうして蚊が収容部入口点１２４を介して蚊取り器１１０から逃げることを防止する。
【００２１】
[0023]図１をさらに参照すれば、蚊を蚊取り器１０に引き入れるために、少なくとも１つの誘引物質が蚊取り器１０の内部に置かれる。好ましくは、水と、藻類および／または腐敗している植物などのバイオマスとの組み合わせ２２が、蚊を引きつけるために収容部１２の底部１４に置かれる。水および腐敗しているバイオマス２２の組み合わせは、雌蚊が卵を生み付けるために好む条件をもたらす。したがって、卵を生み付けようとする雌蚊が、収容部１２内に引き入れられ、卵をその中に生み落とす。
【００２２】
[0024]特定の実施形態では、収容部１２内の水および／またはバイオマス２２は、蚊および／またはその卵および幼虫を殺虫するために殺虫剤によって処理され得る。たとえば、水および／またはバイオマスは、（メトプレンなどの）昆虫成長調節剤、（バチルスチューリンゲンシス（Bacillus thuringiensis）および／またはバチルスチューリンゲンシス(Bacillus sphaericus)などの）微生物殺幼虫剤、（ＤＤＴ、テムホス、およびジクロルボスなどの）有機リン殺虫剤、（ビフェントリン、シペルメトリン、およびデルタメトリンなどの）合成ピレスロイド、（イミダクロプリドなどの）ネオニコチノイド、フィプロニル、表面油または膜、およびそれらの混合物からなる群から選択される殺虫剤で処理されてよい。特定の実施形態では、生きた魚が、水および／またはバイオマス２２に含まれてもよく、この魚は、水および／またはバイオマス２２上にまたはその近くに着地した蚊を食べることができる。
【００２３】
[0025]収容部１２内の水およびバイオマス２２の量は、通常、収容部１２の全体寸法に対して相対的に少ない。水およびバイオマス２２の組み合わせは通常、収容部の内部空間２０の全体積の約１０から約５０パーセントである体積を有する。より好ましくは、水およびバイオマス２２の組み合わせは、収容部の内部空間２０の全体積の約２０から約４０パーセントである体積を有する。
【００２４】
[0026]水およびバイオマス２２の体積を収容部の内部空間２０の全体積に対して相対的に少なく保つことにより、本開示は、倒れた場合、好ましくは実質的に中身がこぼれない蚊取り器１０を提供する。すなわち収容部１２が、偶発的にまたは故意に横に倒された場合、水およびバイオマス２２は、ほとんどまたは全くこぼれることなく蚊取り器収容部１２の内部内に依然として保持される。これはいくつかの利点を提供する。第１に、流体を収容部１２内に保つことにより、蚊取り器１０の効果は、これが倒れた後であっても維持される。第２に、これは、子供または動物が、ここでも有害な殺虫剤を含み得る水およびバイオマス２２を摂取する、または別の形で接触することを防止する。
【００２５】
[0027]加えて、導管２６を介して雨水が収容部１２内に入ることが実質的に防止される。これは、雨水が加えられると収容部が過充填され、収容部の効果を無くすおそれがあるので有利である。さらに悪いことに、過充填された収容部１２は、蚊取り器として機能せずに、蚊の培養地になるおそれがある。
【００２６】
[0028]特定の実施形態では、収容部１２はまた、光源および／またはｌ−オクテン−３−オール（オクテノール）などの化学誘引物質および／または二酸化炭素供給源などの他の蚊誘引物を含むこともできる。場合によっては、小型齧歯動物類などの生きた哺乳動物が、二酸化炭素およびオクテノールの自然の誘引物質供給源として作用するように収容部内に置かれてもよい。
【００２７】
[0029]野外で使用される場合、１つまたは複数の蚊取り器１０は、本開示によって準備され、次いで、蚊を引きつけ、捕え、殺虫するために、蚊の多い地域内に仕掛けられる。
【００２８】
[0030]特に、蚊取り器１０は、雌蚊を引きつけ、捕え、殺虫する。雌蚊は、当然ながら、卵を生み付ける唯一の蚊である。加えて、雌蚊のみが人および動物を刺して血を吸う。雄蚊は、植物を摂取するだけで生きる。こうして、雌蚊だけが、人および家畜を血液を媒介する病気に感染させることができる。したがって、そのような病気の大発生を制御するには、雌蚊を捕え、殺虫することが特に望ましい。
【００２９】
[0031]雌蚊であっても、卵を生み付ける前しか血液を餌にしない。この「血液の食事」が消費されると、雌蚊はその後、卵を生み付けざるを得なくなり、好ましくは、これを行うべき暗く湿気の多い環境を探し出す。蚊取り器１０の内部内の水およびバイオマス２２は、蚊に対して、外見的には卵を生み付けるための理想的な環境を提供する。したがって、水およびバイオマス２２は、視覚および匂いを組み合わせて雌蚊を蚊取り器１０に引きつけ、卵を生み付けさせる（産卵）。
【００３０】
[0032]蚊取り器の効果を向上させるために、蚊取り器の近傍から、他の停滞水の供給源を低減するまたは解消することが望ましく、それにより、蚊は、蚊取り器以外のこうした代替の水供給源内に産卵するという選択肢を有さなくなる。たとえば、停滞水を防止するために、軒樋の近くは片づけられなければならず、雨水を含み得る自動車タイヤは除去処理されなければならない。同様に、噴水の水は、好ましくは蚊による産卵を防止するために、塩素、またはバチルスチューリンゲンシスなどの蚊殺幼虫剤またはメトプレンによって処理される。近くの池も同様に、蚊および／またはその幼虫を食べる魚で処理されてよくまたはこれらが放流されてよい。
【００３１】
[0033]水およびバイオマス２２の引きつけにより、雌蚊は引き寄せられて収容部入口点２４から収容部の内部空間２０内に入り、収容部１２の底部１４に到達してそこで卵を産み落とす。しかし、蚊が蚊取り器１０の底部１４に到達した後、蚊が最初に蚊取り器１０に入った収容部の入口点２４は、導管２６が、不透明の構造であり、また入口点２４からの光が収容部の底部１４に到達することを防止する形状のため、蚊からは隠される。
【００３２】
[0034]蚊が収容部１２内から見ることができる唯一の見掛けの出口は、収容部側壁１６の半透明部分３２である。したがって、蚊は、これらの見掛けの出口を通って蚊取り器１０から飛び出ようと試みる。しかし、半透明部分３２は、疑似出口にすぎず、蚊が蚊取り器収容部から逃げることができる手段を提供しない。こうして、蚊は捕えられ、収容部から逃げることができなくなる。
【００３３】
[0035]蚊は、捕えられると、水死、飢え、および／または蚊取り器１０内に含まれる殺虫剤との接触によってその後死滅する。蚊取り器１０内に生み付けられた蚊の卵およびこれから成長した幼虫も同様に捕えられ死滅する。
【００３４】
[0036]本発明の好ましい実施形態の前述の説明は、例示および説明の目的で提示された。これはまた、包括であること、または本発明を開示されたその正確な形態に限定することは意図されない。上記の教示に照らして、明確な改変形態または変更形態が可能である。この実施形態は、本発明の原理およびその実用的な用途の最適な例示を提供し、それによって当業者が、本発明を、さまざまな実施形態でかつ企図された特定の用途に適合させるようにさまざまに改変して利用できることを目的にして選択および説明される。すべてのそのような改変形態および変形形態は、正当に、法的に、および公正に権利を有する範囲に従って解釈されるときに付属の特許請求の範囲によって決定されるように本発明の範囲内に含まれる。
【図１】
0005876062.tif 000002
【図２】
0005876062.tif 000003